(57)【要約】【課題】ガス使用者不在時の指針値未増加状態を防止しセキュリティ性を向上すること。【解決手段】流量検出部１１と、流量値算出部１２と、指針値保持部１３と、外部通信部１４と、指針値表示部１５と、表示指示部１６と、ダミー発生部１７とを備え、不在前にボタンを押し切替信号Ｄが発生するとダミー発生部１７がダミー指針値Ｅを出力し、指針値表示部１４がダミー指針値Ｅを表示するので不在時にも指針値が増加して在宅をよそえることとなる。【選択図】図１
2005240897.tif 000002
【特許請求の範囲】
【請求項１】
ガス通路内を通過するガス流量に対応して流量信号を出力する流量検出部と、前記流量検出部の流量信号を受け取ると流量値を算出する流量値算出部と、前記流量値算出部が算出した流量値を受け取ると指針値として保持する指針値保持部と、外部から要求されると前記指針値保持部が保持している指針値を外部に出力する外部通信部と、外部から表示切替の操作を受け取ると切替信号を出力する表示指示部と、前記表示指示部の切替信号を受け取ると前記指針値保持部が保持している指針値を取得し、時々刻々と変化するダミー指針値を出力するダミー発生部と、前記指針値保持部の指針値と前記ダミー発生部のダミー指針値を前記表示指示部の切替信号を受け取ると切替て表示する指針値表示部とを備えているガス遮断装置。
【請求項２】
ダミー発生部を、流量値算出部からの流量値を監視してガス使用者のガスの使用パターンの学習に基づきダミー指針値を出力する指針増加学習部とした請求項１に記載のガス遮断装置。
【請求項３】
外部からの操作により真値表示信号を出力する外部表示指示部を備え、指針値表示部を、指針値保持部の指針値とダミー発生部のダミー指針値を表示指示部の切替信号を受け取ると切替て表示し、前記外部表示指示部の真値表示信号を受け取ると前記指針値保持部の指針値を表示するようにした請求項１または２に記載のガス遮断装置。
【請求項４】
流量検出部の予め定めた任意の量の流量信号を受け取ると自動解除信号を出力する自動指示解除部を備え、指針値表示部を、指針値保持部の指針値とダミー発生部のダミー指針値を表示指示部の切替信号を受け取ると切替て表示し、前記自動指示解除部の自動解除信号を受け取ると前記指針値保持部の指針値を表示するようにした請求項１〜３のいずれか１項に記載のガス遮断装置。
【請求項５】
流量検出部の流量信号を監視し予め定めた一定期間に流量信号がなければ未使用信号を出力する未使用監視部を備え、ダミー発生部を、表示指示部の切替信号または前記未使用監視部の未使用信号を受け取ると指針値保持部が保持している指針値を取得し、時々刻々と変化するダミー指針値を出力するようにし、指針値表示部を、前記指針値保持部の指針値と前記ダミー発生部のダミー指針値を前記表示指示部の切替信号を受け取ると切替て表示し、前記未使用監視部の未使用信号を受け取ると前記ダミー発生部のダミー指針値を表示するようにした請求項１記載のガス遮断装置。
【請求項６】
ガス遮断装置の近傍に配置した人感装置からの入力信号を受け取ると切替信号を出力する人感部とを備えた請求項１〜５のいずれか１項に記載のガス遮断装置。
【請求項７】
外部からの操作により真値表示信号を出力する外部表示指示部とガス遮断装置の近傍に配置した人感装置からの入力信号を受け取ると切替信号と人感信号を出力する人感部と、表示指示部の切替信号を受け取り前記人感部の人感信号を受け取ると所定の期間内に外部表示指示部の真値表示信号を受け取らなければ警報信号を出力する不審者判定部とを備え、外部通信部を、外部から要求されると指針値保持部が保持している指針値を外部に出力し前記不審者判定部からの警報信号を受け取ると外部に通報するようにした請求項１に記載のガス遮断装置。
【発明の詳細な説明】
【技術分野】
【０００１】
本発明はガス流量を検出し使用量と使用パターンを監視し異常時にガス通路を遮断するガス遮断装置に関するものである。
【背景技術】
【０００２】
従来、この種のガス遮断装置の指針値表示は図７の（ａ）に示すような表示形式でメカニカルなドラムにより表示している。または図７の（ｂ）に示すようなＬＣＤを使用した表示をしている。
【０００３】
しかし、かかる先行技術は、文献公知発明に係るものでないため、記載すべき先行技術文献情報はない。
【０００４】
図８は、従来のガス遮断装置を示すもので、図に示すように、ガス通路内を通過するガス流量に対応して流量信号を出力する流量検出部１と、前記流量検出部１の前記流量信号ａを受け取ると流量値ｂを算出する流量値算出部２と、前記流量値算出部２が算出した前記流量値ｂを受け取ると指針値ｃとして保持する指針値保持部３と、外部から要求されると前記指針値保持部３が保持している前記指針値ｃを外部に出力する外部通信部４と、ＬＣＤを保有する場合は前記指針値保持部３の前記指針値ｃを表示する指針値表示部とから構成されている。
【発明の開示】
【発明が解決しようとする課題】
【０００５】
しかしながら、前記従来の構成では、メカニカルなドラム表示であったり、メカニカルなドラム表示を再現するものであるため、ガス使用者のガスの使用がなければ指針値表示が変わらないものであったので、強制的に指針値を変更することが出来ず（特にメカニカルな場合は不可能）いつみても指針値の値が変わらなければガス使用者宅が長期に不在であることを他人に知られてしまうという課題を有していた。
【０００６】
本発明は、前記従来の課題を解決するもので、外出前にガス遮断装置に指示を与えることでガス使用者が長期に外出している場合でも指針値の値を可変にすることことができ、ガス使用者宅のセキュリティ性を向上させるガス遮断装置を提供することを目的とする。
【課題を解決するための手段】
【０００７】
前記従来の課題を解決するために、本発明のガス遮断装置は、外出ボタンが押されるとダミー発生部１７が作ったダミー指針値Ｅを指針値表示部１５で表示させるようにしたものである。
【０００８】
これによって外出中であっても指針値を時々刻々とかえることが可能となり、あたかも在宅してガスを使用しているように表示させることができセキュリティ性を向上させることができる。
【０００９】
また、本発明のガス遮断装置は、指針増加学習部１８でガス使用者の使用パターンを学習し、外部表示指示部１９でガスの実使用量を表示し、自動指示解除部２０でダミー表示から真値表示に自動切替し、未使用監視部２１で真値表示からダミー表示に自動切替し、人感部２２で真値表示からダミー表示に自動切替し、不審者判定部２３で不審者の判別をさせるようにしたものである。
【００１０】
これによって、指針値の増加を実際にガス器具を使っているように可変させることができ、またセキュリティ性を維持したまま指針値のダミー表示と真値表示の切替を特定者や自動的に切替が可能となる。
【発明の効果】
【００１１】
本発明のガス遮断装置はガス使用者が不在であっても指針値が増加することで在宅中であるように見せかけることができる。
【発明を実施するための最良の形態】
【００１２】
第１の発明は、ガス通路内を通過するガス流量に対応して流量信号を出力する流量検出部と、前記流量検出部の流量信号を受け取ると流量値を算出する流量値算出部と、前記流量値算出部が算出した流量値を受け取ると指針値として保持する指針値保持部と、外部から要求されると前記指針値保持部が保持している指針値を外部に出力する外部通信部と、外部から表示切替の操作を受け取ると切替信号を出力する表示指示部と、前記表示指示部の切替信号を受け取ると前記指針値保持部が保持している指針値を取得し、時々刻々と変化するダミー指針値を出力するダミー発生部と、前記指針値保持部の指針値と前記ダミー発生部のダミー指針値を前記表示指示部の切替信号を受け取ると切替て表示する指針値表示部とを備えることより、不在前に指示することにより指針値が増加することとなり、ガス使用者が不在であっても在宅中であるようによそえることができる。
【００１３】
第２の発明は、特に、第１の発明のダミー発生部を、流量値算出部からの流量値を監視してガス使用者のガスの使用パターンの学習に基づきダミー指針値を出力する指針増加学習部とすることにより、ガス使用者の使用パターンに合せた指針値の増加を可能とすることにより、実際にガスを使用しているように指針値を変更することができる。
【００１４】
第３の発明は、特に、第１または２の発明において、外部からの操作により真値表示信号を出力する外部表示指示部を備え、指針値表示部を、指針値保持部の指針値とダミー発生部のダミー指針値を表示指示部の切替信号を受け取ると切替て表示し、前記外部表示指示部の真値表示信号を受け取ると前記指針値保持部の指針値を表示するようにしたことにより、外部より指針値の真値を表示させることが可能となり、検針員等の特定者が実際のガス使用量を確認することができる。
【００１５】
第４の発明は、特に、第１〜３のいずれか１つの発明において、流量検出部の予め定めた任意の量の流量信号を受け取ると自動解除信号を出力する自動指示解除部を備え、指針値表示部を、指針値保持部の指針値とダミー発生部のダミー指針値を表示指示部の切替信号を受け取ると切替て表示し、前記自動指示解除部の自動解除信号を受け取ると前記指針値保持部の指針値を表示するようにしたことにより、ガス使用者が帰宅したことを指示し忘れてガスを使用することにより、指針値を自動的に真値で表示することができる。
【００１６】
第５の発明は、特に、第１の発明において、流量検出部の流量信号を監視し予め定めた一定期間に流量信号がなければ未使用信号を出力する未使用監視部を備え、ダミー発生部を、表示指示部の切替信号または前記未使用監視部の未使用信号を受け取ると指針値保持部が保持している指針値を取得し、時々刻々と変化するダミー指針値を出力するようにし、指針値表示部を、前記指針値保持部の指針値と前記ダミー発生部のダミー指針値を前記表示指示部の切替信号を受け取ると切替て表示し、前記未使用監視部の未使用信号を受け取ると前記ダミー発生部のダミー指針値を表示するようにしたことにより、ガス使用者が不在前に指示すること忘れて外出してもガスの未使用期間を判断することにより、指針値を自動的にダミー値で表示することができる。
【００１７】
第６の発明は、特に、第１〜５のいずれか１つの発明において、ガス遮断装置の近傍に配置した人感装置からの入力信号を受け取ると切替信号を出力する人感部とを備えたことにより、指針値を自動的にダミー値で表示することができる。
【００１８】
第７の発明は、特に、第１の発明において、外部からの操作により真値表示信号を出力する外部表示指示部とガス遮断装置の近傍に配置した人感装置からの入力信号を受け取ると切替信号と人感信号を出力する人感部と、表示指示部の切替信号を受け取り前記人感部の人感信号を受け取ると所定の期間内に外部表示指示部の真値表示信号を受け取らなければ警報信号を出力する不審者判定部とを備え、外部通信部を、外部から要求されると指針値保持部が保持している指針値を外部に出力し前記不審者判定部からの警報信号を受け取ると外部に通報するようにしたことにより、一旦不審者と判断したものを外部表示指示部の操作があれば検針員と認識することができ、検針員でなければ不審者として通報することにより、セキュリティ性を向上させることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態におけるガス遮断装置の機能ブロック図を示すものである。
【００２１】
図１において、流量検出部１１はガス通路内を通過するガス流量（例えば、ガス遮断装置内に設置されている永久磁石がガス通路内を通過する流量の一定量毎に１回転分の円運動を行い、その円運動の軌跡上にリードスイッチを配置してガス流量を検知したり、あるいはガス通路内に対向した超音波センサを取り付け超音波の伝播時間の違いからガス流量を検知してもよいし、ガス通路内にガスが流れる経路を作成しガスが経路を流れるときに発生する振動からガス流量を検知しても同様の効果が得られる）に対応して流量信号Ａを出力する。
【００２２】
流量値算出部１２は流量検出部１１の流量信号Ａを受け取ると流量値Ｂ（ガスの使用量）を算出する。
【００２３】
指針値保持部１３は流量値算出部１２が算出した流量値Ｂを受け取ると指針値Ｃ（実際に使用したトータルガス使用量の真値）に順次加算して保持する。
【００２４】
外部通信部１４は外部（例えば、ガス遮断装置を公共の電話回線等を使用して監視しているセンタ装置）から要求されると指針値保持部１３が保持している指針値Ｃを外部に出力（上述の例によればセンタに返信）する。
【００２５】
表示指示部１６は外部から表示切替の操作（例えば、ガス遮断装置と有線でつながれたスイッチでも良いし、有線または無線で接続されたホームセキュリティの宅内表示盤に設けられたボタンやリモコンや、携帯電話によっても同様の効果が得られる。）を受け取ると切替信号Ｄ（例えば、同一信号構造による切替でも良いし、不在信号と在宅信号のように信号を同一構造にしなくても同様の効果が得られる）を出力する。
【００２６】
ダミー発生部１７は表示指示部１６の切替信号Ｄを受け取ると指針値保持部１３が保持している指針値Ｃを取得し時々刻々と変化するダミー指針値Ｅ（指針値Ｃをダミー指針値Ｅの開始値とし、例えば１分単位で定期的にまたは非定期的に乱数によりダミー指針値Ｅを増加させても良いし、予め定められた増加パターンに基づきダミー指針値Ｅを増加させても同等の効果が得られる）を出力する。
【００２７】
指針値表示部１５は指針値保持部１３の指針値Ｃとダミー発生部１７のダミー指針値Ｅを表示指示部１６の切替信号Ｄを受け取ると切替て表示する構成をしている。
【００２８】
以上のように構成されたガス遮断装置について、以下その動作、作用を説明する。
【００２９】
まず、指針値の他にダミー表示中であることを表す表示や指針値を消灯すると逆に不在であることを不審者に知らせることとなるが、不在前に指示することにより指針値が増加さっせることができるようになり、ガス使用者が不在であっても在宅中であるようによそえることとなる。
【００３０】
以上のように、本実施の形態においては不在前に表示切替の指示を表示指示部１６からすることにより、ダミー発生部１７がダミー指針値Ｅを出力し、指針値表示部１５がダミー指針値Ｅを表示することができる。
【００３１】
また、ダミー発生部１７を、流量値算出部１２からの流量値Ｂを監視してガス使用者のガスの使用パターンを学習して表示指示部１６の切替信号Ｄを受け取ると指針値保持部１３の指針値Ｃを取得し学習（例えば、ガス使用者がガスを使用し始めてからの１週間を監視しその平均を学習結果としても良いし、１月毎に１週間学習しても同様の効果が得られる）した使用パターンに基づきダミー指針値Ｅを出力するようにすることにより、ガス使用者の使用パターンに合せた指針値の増加を可能とすることになり、実際にガスを使用しているように指針値を変更することができる。
【００３２】
（実施の形態２）
図２は、本発明の第２の実施の形態における機能ブロック図を示すもので、特に実施の形態１と異なるのは、指針値表示部１５を、指針値保持部１３の指針値Ｃとダミー発生部１７のダミー指針値Ｅを表示指示部１６の切替信号Ｄを受け取ると切替て表示し、外部表示指示部１９の真値表示信号Ｆを受け取ると指針値Ｃを表示するようにした点である。
【００３３】
外部表示指示部１９は外部からの操作（例えば、ガス遮断装置の目立たないところに設けられたボタンでも良いし、磁石による非接触の信号や、無線や赤外線等による信号でも同等の効果が得られる）により真値表示信号Ｆを出力することにより、外部より指針値の真値を表示させることが可能となり、検針員等の特定者が実際のガス使用量を確認することができる。
【００３４】
（実施の形態３）
図３は、本発明の第３の実施の形態における機能ブロック図を示すもので、特に実施の形態１と異なるのは、指針値表示部１５を、指針値保持部１３の指針値Ｃとダミー発生部１７のダミー指針値Ｅを表示指示部１６の切替信号Ｄを受け取ると切替て表示し自動指示解除部２０の自動解除信号Ｇを受け取ると指針値Ｃを表示するようにした点である。
【００３５】
自動指示解除部２０は流量検出部１１の予め定めた任意の量（例えば、ガスを０．２ｍ３／ｈ以上の流量でも良いし、１０Ｌ以上の使用量でも同等の効果が得られる）の流量信号Ａを受け取ると自動解除信号Ｇを出力することにより、ガス使用者が帰宅したことを指示し忘れてガスを使用することにより、指針値を自動的に真値で表示することができる。
【００３６】
（実施の形態４）
図４は、本発明の第４の実施の形態における機能ブロック図を示すもので、特に実施の形態１と異なるのは、ダミー発生部１７を、表示指示部１６の切替信号Ｄまたは未使用監視部２１の未使用信号Ｈを受け取ると指針値保持部１３が保持している指針値Ｃを取得し時々刻々と変化するダミー指針値Ｅを出力するようにした点である。
【００３７】
指針値表示部１５は、指針値保持部１３の指針値Ｃとダミー発生部１７のダミー指針値Ｅを表示指示部１６の切替信号Ｄを受け取ると切替て表示し未使用監視部２１の未使用信号Ｈを受け取るとダミー指針値Ｅを表示するようにした。
【００３８】
未使用監視部２１は流量検出部１１の流量信号Ａを監視し予め定めた一定期間（例えば、まる１日などの日時単位で流量信号Ａが発生しなかった場合や、１回または複数の食事時間帯に流量信号Ａが発生しなかった場合でも同様の効果が得られる）に流量信号Ａがなければ未使用信号Ｈを出力することにより、ガス使用者が不在前に指示すること忘れて外出してもガスの未使用期間を判断することにより、指針値を自動的にダミー値で表示することができる。
【００３９】
（実施の形態５）
図５は、本発明の第５の実施の形態における機能ブロック図を示すもので、特に実施の形態１と異なるのは、人感部２２を、ガス遮断装置の近傍に配置した人感装置からの入力信号（例えば、温度センサ等で検知し有線や無線で信号を伝える。またガス遮断装置の近傍だけではなくガス遮断装置に至る通り道に人感装置を取り付けても同様の効果が得られる）を受け取ると切替信号Ｄを出力することにより、不審者が近づくと切替信号を切り替えることにより、指針値を自動的にダミー値で表示することができる。
【００４０】
（実施の形態６）
図６は、本発明の第６の実施の形態における機能ブロック図を示すもので、特に実施の形態１と異なるのは、外部通信部１４を、外部から要求されると指針値保持部１３が保持している指針値Ｃを外部に出力し不審者判定部２３からの警報信号Ｋを受け取ると外部に通報するようにした。
【００４１】
人感部２２は、ガス遮断装置の近傍に配置（例えば、玄関等に配置しても同様の効果が得られる）した人感装置２２ａからの入力信号を受け取ると切替信号Ｄと人感信号Ｊを出力するようにした。
【００４２】
不審者判定部２３は、表示指示部１６の切替信号Ｄを受け取り（すなわちガス使用者は留守である）、人感部２２の人感信号Ｊを受け取る（すなわちガス使用者以外のものが訪れた）と所定の期間内に外部表示指示部１９の真値表示信号Ｆを受け取らなければ（例えば、５分以内に外部表示指示部１９が操作されれば検針員なので通報する必要はないが、５分経過しても外部表示指示部１９が操作されなければ検針員以外の不審者と判断する）警報信号Ｋを出力することにより、一旦不審者と判断したものを外部表示指示部の操作があれば検針員と認識することができ、検針員でなければ不審者として通報することにより、セキュリティ性を向上させることができる。
【産業上の利用可能性】
【００４３】
以上のように、本発明にかかるガス遮断装置のダミー表示は、ＬＣＤを搭載しており使用量を表示しているもの、また動作状態をモニタリングするものであればダミー表示が可能となるので、水道メータ等の用途にも適用できる。
【図面の簡単な説明】
【００４４】
【図１】本発明の実施の形態１におけるガス遮断装置の機能ブロック図
【図２】本発明の実施の形態２におけるガス遮断装置の機能ブロック図
【図３】本発明の実施の形態３におけるガス遮断装置の機能ブロック図
【図４】本発明の実施の形態４におけるガス遮断装置の機能ブロック図
【図５】本発明の実施の形態５におけるガス遮断装置の機能ブロック図
【図６】本発明の実施の形態６におけるガス遮断装置の機能ブロック図
【図７】（ａ）従来のガス遮断装置の指針値示すメカニカル指針値表示図（ｂ）従来のガス遮断装置の指針値示すＬＣＤ指針値表示図
【図８】従来のガス遮断装置の機能ブロック図
【符号の説明】
【００４５】
１１  流量検出部
１２  流量値算出部
１３  指針値保持部
１４  外部通信部
１５  指針値表示部
１６  表示指示部
１７  ダミー発生部
１９  外部表示指示部
２０  自動指示解除部
２１  未使用監視部
２２  人感部
２２ａ  人感装置
２３  不審者判定部
【図１】
2005240897.tif 000003
【図２】
2005240897.tif 000004
【図３】
2005240897.tif 000005
【図４】
2005240897.tif 000006
【図５】
2005240897.tif 000007
【図６】
2005240897.tif 000008
【図７】
2005240897.tif 000009
【図８】
2005240897.tif 000010